(57)【要約】【課題】映像コンテンツとともに配信される広告を蓄積することにより、視聴者が任意のタイミングで広告を閲覧すること。【解決手段】広告蓄積装置１０は、映像コンテンツおよび映像コンテンツに付加された広告を再生する再生部１２と、再生部で映像コンテンツとともに再生された広告の広告情報を記憶する広告記憶部１３と、広告記憶部１３に記憶された広告のリストを視聴者に提示するリスト提示制御部１４と、リスト提示制御部１４で提示されたリストの中から視聴者が選択した広告を、広告情報に基づいて取得し、取得した広告を視聴者に提示する広告提示制御部１５と、を備える。【選択図】図１
2013009038.tif 000002
【特許請求の範囲】
【請求項１】
コンテンツサーバから映像コンテンツとともに配信される広告を蓄積する広告蓄積装置であって、
前記映像コンテンツおよび前記広告を再生する再生手段と、
前記再生手段で映像コンテンツとともに再生された広告に関する情報を記憶する広告記憶手段と、
前記広告記憶手段に記憶された広告のリストを視聴者に提示するリスト提示制御手段と、
前記リスト提示制御手段で提示されたリストの中から視聴者が選択した広告を、前記広告に関する情報に基づいて取得し、取得した広告を視聴者に提示する広告提示制御手段と、
を備えることを特徴とする広告蓄積装置。
【請求項２】
前記広告記憶手段は、前記再生手段で映像コンテンツとともに再生された広告のうち、前記視聴者により選択操作がされた広告に関する情報を記憶することを特徴とする請求項１に記載の広告蓄積装置。
【請求項３】
前記広告記憶手段に記憶されている広告に関する情報を、前記映像コンテンツを配信している事業者のサーバに送信する送信手段を備えることを特徴とする請求項２に記載の広告蓄積装置。
【請求項４】
前記広告記憶手段に記憶される前記広告に関する情報は、前記広告のアドレス情報、および前記広告の再生時刻を含むことを特徴とする請求項１から３のいずれかに記載の広告蓄積装置。
【請求項５】
前記広告記憶手段に記憶される前記広告に関する情報は、再生された際の前記広告の画面上の位置情報を含むことを特徴とする請求項４に記載の広告蓄積装置。
【請求項６】
前記広告記憶手段に記憶される前記広告に関する情報は、前記広告のサムネイルを含むことを特徴とする請求項４または５に記載の広告蓄積装置。
【請求項７】
前記広告には、コンテンツに紐付けられた広告あるいは、コンテンツとは独立にサーバから配信される広告が少なくとも含まれることを特徴とする請求項１から請求項６のいずれかに記載の広告蓄積装置。
【請求項８】
前記広告のカテゴリーのうち、前記記憶手段において記憶する広告のカテゴリーに対して、蓄積対象フラグが付されていることを特徴とする請求項１から請求項６のいずれかに記載の広告蓄積装置。
【請求項９】
前記コンテンツサーバに、前記広告記憶部に記憶されている広告のプロファイルを送信する送信手段を備えたことを特徴とする請求項１から請求項６のいずれかに記載の広告蓄積装置。
【請求項１０】
コンテンツサーバから映像コンテンツとともに配信される広告を蓄積する広告蓄積装置における広告蓄積方法であって、
前記映像コンテンツおよび前記広告を再生する第１のステップと、
前記第１のステップで映像コンテンツとともに再生された広告に関する情報を記憶しておく第２のステップと、
前記第２のステップで記憶された広告のリストを視聴者に提示する第３のステップと、
前記第３のステップで提示されたリストの中から視聴者が選択した広告を、前記広告に関する情報に基づいて取得し、取得した広告を視聴者に提示する第４のステップと、
を有することを特徴とする広告蓄積方法。
【請求項１１】
コンテンツサーバから映像コンテンツとともに配信される広告を蓄積する広告蓄積装置における広告蓄積方法をコンピュータに実行させるプログラムであって、
前記映像コンテンツおよび前記広告を再生する第１のステップと、
前記第１のステップで映像コンテンツとともに再生された広告に関する情報を記憶しておく第２のステップと、
前記第２のステップで記憶された広告のリストを視聴者に提示する第３のステップと、
前記第３のステップで提示されたリストの中から視聴者が選択した広告を、前記広告に関する情報に基づいて取得し、取得した広告を視聴者に提示する第４のステップと、
をコンピュータに実行させるためのプログラム。
【発明の詳細な説明】
【技術分野】
【０００１】
本発明は、インターネットテレビにおいて配信される広告を蓄積する広告蓄積装置、広告蓄積方法、およびプログラムに関する。
【背景技術】
【０００２】
近年、インターネット接続を介して、インターネット上で提供されているサービスにより映像コンテンツを視聴するインターネットテレビが広まりつつある。インターネットテレビは、インターネットに接続された端末（例えば、ＳＴＢやＰＣ等）により、世界中の数多くの映像コンテンツを視聴することができる。
【０００３】
インターネットテレビでは、配信される映像コンテンツとともに広告を配信することにより、映像コンテンツの無料化等を実現している。インターネットテレビにおいて、広告は、例えば、映像コンテンツが表示されるページの一部に表示されたり、映像コンテンツ上に重ねて、覆い被さるように表示されたり、映像コンテンツの先頭や途中に表示されたりする（非特許文献１）。
【先行技術文献】
【非特許文献】
【０００４】
【非特許文献１】ｈｔｔｐｓ：／／ｗｗｗ．ｇｏｏｇｌｅ．ｃｏｍ／ａｄｓｅｎｓｅ／ｌｏｇｉｎ／ｊａ／ｉｎｄｅｘ．ｈｔｍｌ［２０１１年２月１０日検索］
【発明の概要】
【発明が解決しようとする課題】
【０００５】
しかしながら、表示された広告が視聴者の興味がある広告である場合であっても、広告の配信は随時切り替わるリアルタイムの配信であるために、視聴者が広告をクリックし、広告のＷｅｂページにアクセスする前に広告が切り替わってしまうという問題点があった。また、表示された広告が視聴者の興味がある広告である場合であっても、映像コンテンツの視聴中であるため、後で広告のＷｅｂページを閲覧したいという要望もあった。
【０００６】
そこで、本発明は、上述の課題に鑑みてなされたものであり、映像コンテンツとともに配信される広告を蓄積することにより、視聴者が任意のタイミングで広告を閲覧することができる広告蓄積装置、広告蓄積方法、およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）  本発明は、コンテンツサーバから映像コンテンツとともに配信される広告を蓄積する広告蓄積装置であって、前記映像コンテンツおよび前記広告を再生する再生手段（例えば、図１の再生部１２に相当）と、前記再生手段で映像コンテンツとともに再生された広告に関する情報を記憶する広告記憶手段（例えば、図１の広告記憶部１３に相当）と、前記広告記憶手段に記憶された広告のリストを視聴者に提示するリスト提示制御手段（例えば、図１のリスト提示制御部１４に相当）と、前記リスト提示制御手段で提示されたリストの中から視聴者が選択した広告を、前記広告に関する情報に基づいて取得し、取得した広告を視聴者に提示する広告提示制御手段（例えば、図１の広告提示制御部１５に相当）と、を備えることを特徴とする広告蓄積装置を提案している。
【０００９】
この発明によれば、再生手段は、映像コンテンツ、および広告を再生する。広告記憶手段は、再生手段で映像コンテンツとともに再生された広告に関する情報を記憶する。リスト提示制御手段は、広告記憶手段に記憶された広告のリストを視聴者に提示する。広告提示制御手段は、リスト提示制御手段で提示されたリストの中から視聴者が選択した広告を、広告に関する情報に基づいて取得し、取得した広告を視聴者に提示する。したがって、映像コンテンツとともに配信される広告を蓄積することにより、視聴者は任意のタイミングにおいて、蓄積された広告の中から任意に広告を選択し、閲覧することができる。
【００１０】
（２）  本発明は、（１）の広告蓄積装置について、前記広告記憶手段は、前記再生手段で映像コンテンツとともに再生された広告のうち、前記視聴者により選択操作がされた広告に関する情報を記憶することを特徴とする広告蓄積装置を提案している。
【００１１】
この発明によれば、広告記憶手段は、再生手段で映像コンテンツとともに再生された広告のうち、視聴者により選択操作がされた広告に関する情報を記憶する。したがって、視聴者が閲覧したい広告のみを記憶しておくことができる。
【００１２】
（３）  本発明は、（２）の広告蓄積装置について、前記広告記憶手段に記憶されている広告に関する情報を、前記映像コンテンツを配信している事業者のサーバに送信する送信手段を備えることを特徴とする広告蓄積装置を提案している。
【００１３】
この発明によれば、送信手段は、広告記憶手段に記憶されている広告に関する情報を、映像コンテンツを配信している事業者のサーバに送信する。したがって、視聴者が興味を持った広告のリストを、事業者は取得することができ、配信する広告の決定等に利用することができる。
【００１４】
（４）  本発明は、（１）から（３）の広告蓄積装置について、前記広告記憶手段に記憶される前記広告に関する情報は、前記広告のアドレス情報、および前記広告の再生時刻を含むことを特徴とする広告蓄積装置を提案している。
【００１５】
この発明によれば、広告記憶手段に記憶される広告に関する情報は、広告のアドレス情報、および広告の再生時刻を含む。したがって、視聴者は、広告の再生時刻に基づいて、閲覧する広告を選択することができる。
【００１６】
（５）  本発明は、（４）の広告蓄積装置について、前記広告記憶手段に記憶される前記広告に関する情報は、再生された際の前記広告の画面上の位置情報を含むことを特徴とする広告蓄積装置を提案している。
【００１７】
この発明によれば、広告記憶手段に記憶される広告に関する情報は、再生された際の広告の画面上の位置情報を含む。したがって、視聴者は、広告が再生された際の画面上の位置情報に基づいて、閲覧する広告を選択することができる。
【００１８】
（６）  本発明は、（４）または（５）の広告蓄積装置について、前記広告記憶手段に記憶される前記広告に関する情報は、前記広告のサムネイルを含むことを特徴とする広告蓄積装置を提案している。
【００１９】
この発明によれば、広告記憶手段に記憶される広告に関する情報は、広告のサムネイルを含む。したがって、視聴者は、広告のサムネイルに基づいて、閲覧する広告を選択することができる。
【００２０】
（７）  本発明は、（１）から（６）の広告蓄積装置について、前記広告には、コンテンツに紐付けられた広告あるいは、コンテンツとは独立にサーバから配信される広告が少なくとも含まれることを特徴とする広告蓄積装置を提案している。
【００２１】
この発明によれば、広告には、コンテンツに紐付けられた広告あるいは、コンテンツとは独立にサーバから配信される広告が少なくとも含まれる。したがって、少なくとも、コンテンツに紐付けられた広告あるいは、コンテンツとは独立にサーバから配信される広告に対して、視聴者は、広告内の情報に基づいて、閲覧する広告を選択することができる。
【００２２】
（８）  本発明は、（１）から（６）の広告蓄積装置について、前記広告のカテゴリーのうち、前記記憶手段において記憶する広告のカテゴリーに対して、蓄積対象フラグが付されていることを特徴とする広告蓄積装置を提案している。
【００２３】
この発明によれば、広告のカテゴリーのうち、記憶手段において記憶する広告のカテゴリーに対して、蓄積対象フラグが付されている。したがって、蓄積対象フラグごとに値段をつけたり、蓄積対象フラグごとに掲載時間を設定し、掲載時間の経過後に、広告を見えなくするような制御を行うことができる。
【００２４】
（９）  本発明は、（１）から（６）の広告蓄積装置について、前記コンテンツサーバに、前記広告記憶部に記憶されている広告のプロファイルを送信する送信手段（例えば、図１の通信部１１に相当）を備えたことを特徴とする広告蓄積装置を提案している。
【００２５】
この発明によれば、コンテンツサーバに、広告記憶部に記憶されている広告のプロファイルを送信する送信手段を備えている。これにより、広告付き映像コンテンツを配信している事業者（コンテンツサーバを運営管理している事業者）は、視聴者が興味ある広告のリストを取得することができ、取得したリストを映像に付加する広告の決定等に利用することができる。
【００２６】
（１０）  本発明は、コンテンツサーバから映像コンテンツとともに配信される広告を蓄積する広告蓄積装置における広告蓄積方法であって、前記映像コンテンツおよび前記広告を再生する第１のステップ（例えば、図２のステップＳ１に相当）と、前記第１のステップで映像コンテンツとともに再生された広告に関する情報を記憶しておく第２のステップ（例えば、図２のステップＳ２に相当）と、前記第２のステップで記憶された広告のリストを視聴者に提示する第３のステップ（例えば、図２のステップＳ３に相当）と、前記第３のステップで提示されたリストの中から視聴者が選択した広告を、前記広告に関する情報に基づいて取得し、取得した広告を視聴者に提示する第４のステップ（例えば、図２のステップＳ４に相当）と、を有することを特徴とする広告蓄積方法を提案している。
【００２７】
この発明によれば、まず、第１のステップにおいて、映像コンテンツおよび広告を再生する。次に、第２のステップにおいて、第１のステップで映像コンテンツとともに再生された広告に関する情報を記憶しておく。次に、第３のステップにおいて、第２のステップで記憶された広告のリストを視聴者に提示する。次に、第４のステップにおいて、第３のステップで提示されたリストの中から視聴者が選択した広告を、広告に関する情報に基づいて取得し、取得した広告を視聴者に提示する。したがって、映像コンテンツとともに配信される広告を蓄積することにより、視聴者は任意のタイミングにおいて、蓄積された広告の中から任意に広告を選択し、閲覧することができる。
【００２８】
（１１）  本発明は、コンテンツサーバから映像コンテンツとともに配信される広告を蓄積する広告蓄積装置における広告蓄積方法をコンピュータに実行させるプログラムであって、前記映像コンテンツおよび前記広告を再生する第１のステップ（例えば、図２のステップＳ１に相当）と、前記第１のステップで映像コンテンツとともに再生された広告に関する情報を記憶しておく第２のステップ（例えば、図２のステップＳ２に相当）と、前記第２のステップで記憶された広告のリストを視聴者に提示する第３のステップ（例えば、図２のステップＳ３に相当）と、前記第３のステップで提示されたリストの中から視聴者が選択した広告を、前記広告に関する情報に基づいて取得し、取得した広告を視聴者に提示する第４のステップ（例えば、図２のステップＳ４に相当）と、をコンピュータに実行させるためのプログラムを提案している。
【００２９】
この発明によれば、まず、第１のステップにおいて、映像コンテンツおよび広告を再生する。次に、第２のステップにおいて、第１のステップで映像コンテンツとともに再生された広告に関する情報を記憶しておく。次に、第３のステップにおいて、第２のステップで記憶された広告のリストを視聴者に提示する。次に、第４のステップにおいて、第３のステップで提示されたリストの中から視聴者が選択した広告を、広告に関する情報に基づいて取得し、取得した広告を視聴者に提示する。したがって、映像コンテンツとともに配信される広告を蓄積することにより、視聴者は任意のタイミングにおいて、蓄積された広告の中から任意に広告を選択し、閲覧することができる。
【発明の効果】
【００３０】
本発明によれば、映像コンテンツとともに配信される広告を蓄積することにより、視聴者が任意のタイミングで広告を閲覧することができる。
【図面の簡単な説明】
【００３１】
【図１】本発明に第１の実施形態に係る広告蓄積装置の概要を示す図である。
【図２】本発明に第１の実施形態に係る広告蓄積装置の処理フローを示す図である。
【図３】本発明に第２の実施形態に係る広告蓄積装置の概要を示す図である。
【図４】本発明に第２の実施形態に係る広告蓄積装置の処理フローを示す図である。
【発明を実施するための形態】
【００３２】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３３】
＜第１の実施形態＞
図１および図２を用いて、本発明の第１の実施形態について説明する。
【００３４】
＜広告蓄積装置の概要＞
図１は、本発明に係る広告蓄積装置１０の概要を示す図である。本発明に係る広告蓄積装置１０は、図１に示すように、コンテンツサーバ２０と通信ネットワークを介して接続される。コンテンツサーバ２０は、映像コンテンツを配信する事業者が有するサーバであって、本実施形態において、広告が付加された映像コンテンツを、広告蓄積装置１０に配信する。
【００３５】
広告蓄積装置１０は、図１に示すように、通信部１１、再生部１２、広告記憶部１３、リスト提示制御部１４、広告提示制御部１５、および表示部１６から構成されている。なお、広告蓄積装置１０は、例えば、パーソナルコンピュータ、ＳＴＢ、テレビジョン受像機、携帯移動端末等である。
【００３６】
通信部１１は、インターネット等の通信ネットワークを介して接続された外部装置とデータのやりとりを行う。本実施形態において、通信部１１は、コンテンツサーバ２０から広告が付加された映像コンテンツを受信する。また、必要に応じて、広告蓄積装置１０が通信部１１を介して、コンテンツサーバ２０にプロファイルデータを送信してもよい。
【００３７】
再生部１２は、通信部１１で受信した映像コンテンツを再生する。また、再生部１２は、映像コンテンツに付加されている広告も再生するとともに、コンテンツとは独立に、サーバから配信される、いわゆる、プッシュ型の広告についても再生を行う。なお、広告蓄積装置１０がＨＤＤ等の記憶手段（図示せず）を有する場合には、再生部１２は、記憶手段に記憶された映像コンテンツ、および映像コンテンツに付加されている広告を再生する。なお、広告が付加された映像が再生される場合に、広告は、例えば、映像コンテンツが表示されるページの一部に表示されたり、映像コンテンツ上に重ねて、覆い被さるように表示されたり、映像コンテンツの先頭や途中に表示されたりする。
【００３８】
広告記憶部１３は、再生部１２で再生された広告に関する情報（以下、広告情報という）を記憶する。具体的には、広告記憶部１３は、再生部１２で広告が再生されると、再生されている広告の広告情報を取得し、記憶する。ここで、広告情報には、ＵＲＬ等の広告のアドレス情報が少なくとも含まれ、その他に、視聴者が広告を識別するための情報、例えば、広告の再生が開始された再生時刻、再生された広告が表示された画面上の位置を示す位置情報、および広告の映像に基づいた動画や静止画からなるサムネイル等が含まれる。
【００３９】
リスト提示制御部１４は、所定のタイミングにおいて、広告記憶部１３に記憶されている広告情報からリストを作成する。そして、リスト提示制御部１４は、作成したリストをリスト画面として後述する表示部１６に表示する。ここで、所定のタイミングとは、視聴者から広告記憶部１３に記憶されている広告の一覧であるリストの表示指示を受け付けたタイミングや、映像コンテンツの再生が終了したタイミング等である。また、リストには、上述した広告情報に含まれる再生時刻、位置情報、サムネイル等が表示され、視聴者は閲覧したい広告をリストから選択することができる。
【００４０】
広告提示制御部１５は、リスト提示制御部１４でリスト画面に表示された広告の中から、視聴者が広告を選択したことに応じて、選択された広告のアドレス情報を広告記憶部１３から取得する。そして、広告提示制御部１５は、取得したアドレス情報に基づいて、インターネット上から広告を取得し、表示部１６に表示する。
【００４１】
表示部１６は、入力された映像信号を表示し、例えばＬＣＤ（Ｌｉｑｕｉｄ  Ｃｒｙｓｔａｌ  Ｄｉｓｐｌａｙ）等のディスプレイである。本実施形態では、映像コンテンツや広告、リスト提示制御部１４から出力されたリスト画面を表示する。なお、表示部１６は、広告蓄積装置１０の外部に備えられる形態であってもよい。
【００４２】
なお、広告には、通常のコマーシャルを目的とするもの以外にも、クイズ形式のものやプレゼントのお知らせ等、各種のカテゴリーのものがあるが、本実施形態においては、これらのカテゴリーについて、蓄積対象となるカテゴリーにそれぞれ対応する蓄積対象フラグが付されて管理されている。したがって、この蓄積対象フラグごとに値段をつけてもよいし、各蓄積フラグごとに、掲載時間を割り当て、この掲載時間が経過すると、その広告を見えなくしてもよい。
【００４３】
図２は、本発明に係る広告蓄積装置の処理フローを示す図である。
【００４４】
ステップＳ１において、再生部１２は、コンテンツサーバ２０から通信部１１を介して受信した広告付き映像コンテンツを再生し、表示部１６に表示させる。
【００４５】
ステップＳ２において、広告記憶部１３は、ステップＳ１で再生部１２にて映像コンテンツがある場合には、映像コンテンツとともに再生された広告の広告情報を取得し、映像コンテンツがない場合には、再生された広告の広告情報を取得し、記憶する。
【００４６】
ステップＳ３において、リスト提示制御部１４は、視聴者から広告記憶部１３に記憶されている広告の一覧であるリストの表示指示を受け付けたタイミング等の所定のタイミングにおいて、ステップＳ２で広告記憶部１３に記憶された広告のリストを表示部１６に表示させ、視聴者に提示する。
【００４７】
ステップＳ４において、広告提示制御部１５は、ステップＳ３で提示されたリストの中から視聴者が広告を選択したことに応じて、選択された広告の広告情報に基づいて取得した広告を表示部１６に表示させ、視聴者に提示する
【００４８】
以上説明したように、本実施形態によれば、映像コンテンツとともに配信される広告を蓄積することにより、視聴者が任意のタイミングで広告を閲覧することができる。
【００４９】
また、広告には、通常のコマーシャルを目的とするもの以外にも、クイズ形式のものやプレゼントのお知らせ等、各種のカテゴリーのものがあるが、本実施形態においては、これらのカテゴリーについて、蓄積対象となるカテゴリーにそれぞれ対応する蓄積対象フラグが付されて管理されている。したがって、この蓄積対象フラグごとに値段をつけてもよいし、各蓄積フラグごとに、掲載時間を割り当て、この掲載時間が経過すると、その広告を見えなくしてもよい。
【００５０】
＜第２の実施形態＞
図３および図４を用いて、本発明の第２の実施形態について説明する。
【００５１】
＜広告蓄積装置の概要＞
本実施形態に係る広告蓄積装置１０は、図３に示すように、通信部１１、再生部１２、広告記憶部１３、リスト提示制御部１４、広告提示制御部１５、表示部１６および通信制御部１７から構成されている。なお、第１の実施形態と同一の符号を付す構成要素については、同様の機能を有することから、その詳細な説明は、省略する。
【００５２】
通信制御部１７は、広告記憶部１３に記憶されている広告をコンテンツサーバ２０に送信する。
【００５３】
図４は、本実施形態に係る広告蓄積装置の処理フローを示す図である。
【００５４】
ステップＳ１１において、再生部１２は、コンテンツサーバ２０から通信部１１を介して受信した広告付き映像コンテンツを再生し、表示部１６に表示させる。
【００５５】
ステップＳ１２において、広告記憶部１３は、ステップＳ１で再生部１２にて映像コンテンツがある場合には、映像コンテンツとともに再生された広告の広告情報を取得し、映像コンテンツがない場合には、再生された広告の広告情報を取得し、記憶する。
【００５６】
ステップＳ１３において、通信制御部１７は、広告記憶部１３に記憶されている広告をコンテンツサーバ２０に送信する。
【００５７】
以上説明したように、本実施形態によれば、広告記憶部に記憶されている広告をコンテンツサーバに送信することにより、広告付き映像コンテンツを配信している事業者が、視聴者が興味ある広告のリストを取得することができ、取得したリストを映像に付加する広告の決定等に利用することができる。
【００５８】
なお、広告蓄積装置１０の処理をコンピュータ読み取り可能な記録媒体に記録し、この記録媒体に記録されたプログラムを広告蓄積装置１０に読み込ませ、実行することによって本発明の広告蓄積装置１０を実現することができる。ここでいうコンピュータシステムとは、ＯＳや周辺装置等のハードウェアを含む。
【００５９】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００６０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６１】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６２】
１０  広告蓄積装置
１１  通信部
１２  再生部
１３  広告記憶部
１４  リスト提示制御部
１５  広告提示制御部
１６  表示部
１７  通信制御部
２０  コンテンツサーバ
【図１】
2013009038.tif 000003
【図２】
2013009038.tif 000004
【図３】
2013009038.tif 000005
【図４】
2013009038.tif 000006